(57)【要約】【課題】紙類を使用することによりコストダウンを図ると共に、印刷を可能とし、かつ容易に焼却廃棄することが可能であることに加えて、収納されているＤＶＤ保護ケースなどの収納物を容易に出し入れすることができ、且つ展示に場所のとらない展示用ケースを提供する。【解決手段】１枚のブランクから形成され、ベース部と収納物の収納部との間に、若しくは左右の収納物の収納部の間に背部を有するブック型展示用紙器であって、収納物の収納部を折り畳み自在に形成したことを特徴とする展示用紙器、およびその製造方法。【選択図】        図１
2004196362.tif 000002
【特許請求の範囲】
【請求項１】
１枚のブランクから形成され、ベース部と収納物の収納部との間に、若しくは左右の収納物の収納部の間に背部を有するブック型展示用紙器であって、収納物の収納部を折り畳み自在に形成したことを特徴とする展示用紙器。
【請求項２】
前記背部内面に抜け出し防止用ストッパーを備えていることを特徴とする請求項１に記載の紙製展示用紙器。
【請求項３】
前記抜け出し防止用ストッパーが背部を構成する板紙の折り曲げ片であることを特徴とする請求項２に記載の展示用紙器。
【請求項４】
ベース部形成部と収納部形成部、若しくは左右の収納部形成部を有する紙製ブランクを２つ折りし、表装紙を貼着する展示用紙器の製造方法であって、上記２つ折り時に、ベース部形成部を貼着し、収容部形成部は貼着せず、端部同士を当接させ、表装紙の折り返し部で当接部を覆うように表装紙を折り返し貼着し、しかる後、収納部の一端を切断除去すると共に他端の内層のみを切断することを特徴とする紙製展示用紙器の製造方法。
【請求項５】
２層の背部の内層に立ち上げ部を形成することを特徴とする請求項３に記載の紙製展示用紙器の製造方法。
【発明の詳細な説明】
【０００１】
【発明の属する技術分野】
本発明は、店舗又はレンタル店等において、ＤＶＤなどの収納物を保護ケースごと収納し、空きスペースを利用して展示することのできる紙製の展示用紙器及びその製造方法に関する。
【０００２】
【従来の技術】
従来、店舗等では、保護ケースに入れたＤＶＤを、ケースの背部が見える状態で棚に陳列したり、ケース前面が見える状態で棚に積み重ねたりしていた。
また、従来のＤＶＤ保護ケースである展示・販売用のケースは、プラスチック製の成型品であるため、コストがかかるという問題があり、しかも、プラスチック製であるため印刷を施すことが困難であり、そのため収納物説明書等の印刷物を内部に挿入することが必要であり、この点からもコスト高となっていた。更に、廃棄する際に焼却が困難であり、環境衛生上でも問題があった。
【０００３】
【特許文献１】
特開２００２−１９３３７５号公報
【特許文献２】
特開２００１−３０１８５５号公報
【０００４】
【発明が解決しようとする課題】
しかし、ケースの背部が見える状態で陳列されていると、タイトルのみが見えるだけであり、しかも、タイトルが表示される背部の巾も１．５ｃｍ程度と狭く、異種のＤＶＤが並べられたりしていると、希望のＤＶＤ等の収納物を見つけだすことが困難であった。
また、ケース前面が見えるように積み重ねる場合には、異種の内容のＤＶＤ等の収納物を積み重ねることはできず展示に広い場所を要した。
本発明は、かかる問題点に鑑みてなされたもので、紙類を使用することによりコストダウンを図ると共に、印刷を可能とし、かつ容易に焼却廃棄することが可能であることに加えて、収納されているＤＶＤ保護ケースなどの収納物を容易に出し入れすることができ、且つ展示に場所のとらない展示用ケースを提供することを課題とする。
【０００５】
【課題を解決するための手段】
上記課題を解決するために、本発明者が鋭意検討した結果、本発明に到達した。
即ち、本発明は、１枚のブランクから形成され、ベース部と収納物の収納部との間、若しくは左右の収納物の収納部の間に背部を有するブック型展示用紙器であって、収納物の収納部を折り畳み自在にしたことを特徴とし、前記背部内面に抜け出し防止用ストッパーを備えることを特徴とし、さらに、前記抜け出し防止用ストッパーが背部を構成する板紙の折り曲げ片であることを特徴とする。
【０００６】
また、本発明の展示用紙器の製造方法は、ベース部形成部と収納物の収納部形成部、若しくは左右の収納物の収納部形成部を有する紙製ブランクを２つ折りし、表装紙を貼着する展示用紙器の製造方法であって、該２つ折り時に、ベース部形成部を貼着し、収容部形成部は貼着せず、端部同士を当接させ、表装紙の折り返し部で当接部を覆うように表装紙を折り返し貼着し、しかる後、収納部の一端を切断除去すると共に他端を内層のみ切断することを特徴とし、さらに、２層の背部の内層に立ち上げ部を形成することを特徴とする。
なお、左右に収納物の収納部形成部を有する紙製ブランクの場合は両者とも貼着しない。
【０００７】
【作用】
収納部を扁平になるように折り畳んで保管し、使用時には収納部を立ち起こしてＤＶＤケース等の収納空間を形成し、該収納部にＤＶＤケース等の一辺が抜け出し防止用ストッパーに当接するまで挿入することにより、ＤＶＤケース等の収納物を展示用紙器内に確実に収納する。
また、ブランクを２つ折りした後、収納部を形成する収納部内側面の端部と収納部底部の端部とを、表装紙の延長部を貼着接続し、しかる後、収納部の一端を切断除去すると共に他端を内層のみ切断することにより収納部を形成する。
【０００８】
【発明の実施の形態】
添付図面にしたがって本発明の実施例を説明するが、細部の構成は本実施例により何等限定されるものではない。
図１は開いた状態の展示用紙器を斜視した図であり、図１（Ａ）はベース部と収納部を有する展示用紙器であり、図１（Ｂ）は左右に収納部を有する展示用紙器である。
図２は本発明の展示用ケースを作成に必要なブランクの区画図であり、図３〜図６は製造工程の説明図であり、図６（Ａ）はベース部と収納部を有する展示用紙器についてであり、図１（Ｂ）は左右に収納部を有する展示用紙器についてである。
また、図７は完成品した展示用紙器の平面図及び断面図であり、図８は使用可能状態の展示用紙器の平面図及び断面図であり、同図において、（ａ）は展示用紙器の平面を、（ｂ）はベース部の断面を、（ｃ）は収納部の断面を、（ｄ）は展示用紙器全体の断面を示している。
【０００９】
本発明の展示用紙器は、図１（Ａ）、（Ｂ）に示すように、ベース部(1) と収納部(2) と、若しくは左右に収納部(2) 、(2) と、両者間の背部(3) とからなり、それらは、１枚のブランクからなる芯材と、該芯材を覆い組立てた際外面になる部分に貼着した表側表装紙と、内面になる部分に貼着した裏側表装材とで構成されている。
展示用紙器には、展示する際に吊り下げることができるように、吊り下げ用孔(27)を設けることができ、該吊り下げ用孔の形状には、円形、多角形、Ｌ字形、逆Ｔ字形などが挙げられる。
【００１０】
《ブランクの形状》
図２は、図１（Ａ）に示す本発明の展示用紙器を製作するための板紙製のブランク(4) を示す。
ブランクは方形であり、背部形成部を中心にして、ベース部形成部と収納部形成部とからなり、それら全幅にわたって形成された折り溝(20)と(21)とによって上下方向に３つに区画され、さらに、折り曲げ溝(23)と(24)とによって左右方向３つに区画される。
図中左側の区画はベース部形成部であり、上記折り曲げ溝(20)によって、収納するＤＶＤケースなどの収納物より同長、同幅のベース部内側部(7) と、収納する収納物よりやや長く且つ同幅のベース部外側部(8) と、折り曲げ溝(21)によって、収納する収納物の厚さと同幅の折り返し部(11)とに区画される。
【００１１】
図中右側の区画は収納部形成部であり、上記折り曲げ溝(20)によって、収納するＤＶＤケース等の収納物と同長でやや幅広の収納部内側部(9) と、収納するＤ収納物同厚で、稍幅広の収納部天部(12)とに区画され、上記折り曲げ溝(20)と平行な折り曲げ溝(22)によって、収納部天部(12)と収納部外側部(10)とに区画され、さらに、折り曲げ溝(21)によって、収納部外側部(10)と収納部底部(13)とに区画される。
なお、折り曲げ溝(22)は収容部を折り起こした時にコーナーを形成するのであるから半切り溝とするのが好ましい。
【００１２】
上記左右の区画の間の部分は背部形成部(14)であり、ベース部外側部(8) と同長で、収納するＤＶＤケースの厚さとほぼ同厚であり、上記折り曲げ溝(23)、(24)によって、ベース部形成部と収納部形成部から区画されている。
なお、ベース部内側部(7) と収納部内側部(9) との間は、一辺が折り曲げ溝(23)の延長線に一致し、他辺が折り曲げ溝(24)の延長線より少し内側に位置する巾狭な切り込み(15)により分断され、折り返し部(11)と折り返し部(13)の間も分断されている。
【００１３】
また、本発明の芯材となるブランクに使用される板紙は、その形状を保持するのに必要な剛性を有する板紙であれば如何なるものでも良く、好ましくは厚みが０．２〜５．０ｍｍ、更に好ましくは０．３〜１．５ｍｍの板紙が使用される。また、好適な板紙の種類としては、例えば、マニラボールや白ボール等の白板紙、或いは、コートボール等を挙げることができるが、本発明では、ブランクを表装紙で覆うので、必要とする厚み及び剛性を有するものであればこれら板紙類以外の板紙を使用することが可能である。
【００１４】
ブランクに貼り付ける表側表装紙は、２つ折りブランクの周縁より延出した上下左右の折り返し部を有し、下辺の折り返し部の延出量は、折り曲げ溝(20)に沿って２つ折りし、さらに、収納部底部(12)を内側に折り曲げた際の、収納部底部(9) の先端と収納部底部(13)の先端部との当接部を覆うのに充分な量が取れるような大きさにする。
裏側表装紙は、折り曲げ溝(20)に沿って２つ折りし、さらに、収納部底部(13)を内側に折り曲げたブランクの上下巾より稍小さめに裁断しておく。
【００１５】
表裏の表装紙としては、アート紙、模様紙、色紙などの表装紙として通常用いられるものが用いられ、また、布や合成紙なども用いられ、摩擦や擦れなどにより破損しない表面樹脂加工を施したものが好ましい。
なお、表側表装紙の貼り付け後表側となる部分や裏側表装紙の貼り付け後表面となる面に、絵柄や写真、或いは収納するＤＶＤなどの収録内容、宣伝文等を印刷し、さらに、背部に対応する部分には、収納する収納物の名称、タイトル等を印刷しておくこともできる。
【００１６】
上記のように形成されたブランクを用いて、展示用ケースを製造する工程を説明する。
１．ブランクの折り曲げ、貼り合わせ（図２、図３）
図２に示すブランクを、ベース内側部(7) 及び収納部内側部(9) を折り曲げ溝(20)に沿って内側に折り曲げ、べース内側部(7) をベース外側部(8) に貼り合わせ、さらに、折り返し部(11)と収納部底部(13)を折り曲げ溝(21)によって内側に折り曲げ、その先端部をベース部(7)の先端部に突き合わせて、ベース外側部(8)に貼り合わせ、収納部底部(13)は貼着しないで、図３に示す２つ折り下ブランクを得る。
【００１７】
その結果、ベース形成部は、ベース外側部(8) 上にベース内側部(7) と折り返し部(11)が貼り合わされた２層構造となる。
一方、収納部形成部は、収納部天部(12)と収納部外側部(10)上に収納部内側部(9) と収納部底部(13)を重ねた状態となる。図１（Ｂ）に示す展示用紙器の場合は、左右が重ねられた状態となり、貼り合わせ部分は存在しない。
また、背部形成部は大部分が１層であり、収納部内側部(9) の一部が、若しくは収納部内側部(7) 、(9) の一部が背部形成部(14)上に張り出して重なり合った状態となっている。
【００１８】
２．表側表装紙の貼り付け（図４）
接着剤を塗布した表側表装紙(5) 上に、下方の折り返し部が折り返し部(11)及び収納部底部(13)の巾より大きくなるようにして、２つ折りしたブランクを貼り付ける。
次に、表側表装紙(5) の上方の延長部を２つ折りしたブランクの上辺に沿って折り返し、２つ折りしたブランクに貼り付け、表側表装紙(5) の下方の折り返し部を２つ折りしたブランクの下片に沿って折り返し、ベース外側部(7) と折り返し部(11)の突き合わせ部及び収納部内側部(9) と収納部底部(13)の突き合わせ部を覆って２つ折りしたブランクに貼り付ける。
【００１９】
更に、表側表装紙(5) の左方の折り返し部を２つ折りしたブランクの左辺に沿って折り返して２つ折りブランクに貼り付ける。この時、上下の折り返し部と重なり合う部分を折り込み図示のように傾斜となるようにすることが好ましい。
なお、左側は後工程で切断除去するのでそのままにしておいても良いし、折り返して重なり合う部分を傾斜としても良い。
本実施例では、表側表装紙(5) の折り返し部を、上辺、下辺、左辺の順で折り返して２つ折りブランクに貼り付けたが、必ずしもこの順に折り返し貼り付ける必要はなく、その順序は適宜変更しても良い。
【００２０】
３．裏側表装紙の貼り付け（図５）
表側表装紙の貼り付け後内面となる面に、上下及び左側に均等な余白部ができるように裏側表装紙(6) を貼り付ける。この時、背部形成部(14)にも確実に貼り付ける。
４．側辺カット、表装紙の一部カット（図６）
図６（Ａ）に斜線で示す、収納部の巾が収納するＤＶＤケースなどの収容物の巾と一致するように収納部形成部の右側部、及び、収納部天部(12)と同一の巾部分で背部形成部(14)の上部を切断除去する。
【００２１】
次に、裏側表装紙(6) 及び収納部内側部(9) の折り曲げ溝(24)の上方の位置を切断線(26)で切断して、収納部内側部(9) 及び収納部底部(13)と分断する。その結果、収納部内側部(9) の切断された部分は、裏側表装紙(6) に貼り付けられているので、切断された部分の背部側縁部に沿って折り曲げ可能な立ち上がり部(15)が形成される。
更に、ベース部に吊り下げ用孔(27)を打ち抜き形成する。
図６（Ｂ）に示す左右が収納部(2) である場合は、左右の収納部を上記の収納部形成と同様に切断除去、切断分離する。
なお、本実施例では、切断工程及び打ち抜き工程を経形時に行っているが、必ずしもこの順で行う必要はなく、作業効率を考慮して適宜変更可能であり、又、いくつかの作業を同時に行ってもよい。
【００２２】
上記工程を経て完成した展示用紙器は、図７に示すように扁平（図は、収納部示しているが、実際は扁平）であり、場所を取らずに輸送又は保管することができる。また、該展示用紙器は、偏平であるので平版状の加工、例えば、箔押し、空押し（エンボス加工）、ディスプレイ抜きラベルの貼込み、アップリケ、刺繍体の貼込み等が全て可能であり、製造も自動化することができ生産性が向上する。
【００２３】
使用に際しては、立ち上げ部(15)を上方に立ち上げた後、収納部内側部(9)先端と収納部底部(13)先端の突き合わせ部及び折り曲げ溝(22)に沿って折り曲げて、収納部内側部(9) を収納部外側部(10)より浮き上がらせて、収納部空間を形成する。そうすると、図８に示すＤＶＤケース等の収納物を収納可能な状態になるので、収納部(2) の一側から収納物挿入し立ち上げ部(15)からなる抜け出し防止用ストッパーに当接させると、収納物は収納部に完全に収納される。
更に、収納部(2) を折り曲げ溝(24)に沿って内側に折り曲げ、ベース部(1) を折り溝(23)に沿って内側に折り曲げると展示可能な製品となる。
以上説明した実施例の展示用紙器は、ブック型収納物の収納に最適であり、特にプラスチック製のＤＶＤケースの収納に好適であるが、ＤＶＤ以外の記録媒体、例えばプラスチック製のＣＤケースの収納に利用してもよいことは言うまでもなく、種々の寸法のディスクケースの収納に適用でき、それらの保護ケースの寸法は収納するディスクケースの寸法に応じて適宜定めればよい。
【００２４】
【発明の効果】
本発明の展示用ケースは、１枚の板紙からなるブランクと表装紙で構成したので、材料費が安く、従来のプラスチック成型品に比べて大幅なコストダウンを図ることができる。
また、材料が紙製であるので、印刷が容易であり、きれいな絵柄や写真、或いは説明文、宣伝文等を印刷することができる。また、廃棄の際に焼却できるので、問題を起こすことがない。
【００２５】
収納部を折り畳み可能に構成しているので、箱状のプラスチック成型品に比べて厚さを薄くすることができ、輸送や保管に便利であり、使用時には吊り下げて展示することができるので、店内空間を有効に利用することができる。
また、抜け出し防止用ストッパーを備えているので、ＤＶＤケース挿入時反対面から突出することがなく、確実に収納できる。
本発明の展示用ケースの製造は、１枚の方形の紙製ブランクから作られ、そのブランクに設けている折り返し部を折り返し、その上に表装紙及び裏表装紙を貼り付け、切断するという簡単な作業によって製造することが可能であるので、容易に、しかも安価に製造することができる。
【図面の簡単な説明】
【図１】本発明の展示用紙器の斜視図であり、図１（Ａ）はベース部と収納部とを有する紙器であり、図１（Ｂ）は左右に収納部を有する紙器である。
【図２】ブランクの区画図である。
【図３】折り曲げ工程を示す図である。
【図４】表側表装紙の貼り付け工程を示す図である。
【図５】裏側表装紙の貼り付け工程を示す図である。
【図６】切断工程工程を示す図であり、図６（Ａ）はベース部と収納部とを有する紙器の切断部を示し、図１（Ｂ）は左右に収納部を有する紙器の切断部を示す。
【図７】完成品の平面図及び断面図である。
【図８】使用可能状態を示す断面図及び側面図である。
【符号の説明】
１    ベース部
２    収納部
３    背部
４    ブランク（心材）
５    表側表装紙
６    裏側表装紙
７    ベース部内側部
８    ベース部外側部
９    収納部内側部
１０  収納部外側部
１１  折り返し部
１２  収納部天部
１３  収納部底部
１４  背部形成部
１５  立ち上げ部（切断片、抜け出し防止用ストッパー）
２０〜２５  折り曲げ溝
２６  切断線
２７  吊り下げ用孔
【図１】
2004196362.tif 000003
【図２】
2004196362.tif 000004
【図３】
2004196362.tif 000005
【図４】
2004196362.tif 000006
【図５】
2004196362.tif 000007
【図６】
2004196362.tif 000008
【図７】
2004196362.tif 000009
【図８】
2004196362.tif 000010